(57)【要約】 【課題】  時差時刻を正確に表示する計時装置を提供する。【解決手段】  基準時刻を計時する時刻カウンタ２００と、時刻表示手段４００と、基準時刻に対する時差設定量を外部入力する外部入力手段７００と、入力される時差設定量を記憶する時差設定量記憶部８２２と、を備え、時差設定量記憶部８２２に記憶された時差設定量を前記基準時刻に加算した時差時刻を時刻表示手段４００に表示する。外部入力手段７００は、１回の操作で１時間単位の時差量を入力するＡボタン７２０およびＢボタン７３０を有する。時差設定量記憶部８２２は、Ａボタン７２０およびＢボタン７３０の操作回数に応じた時差設定量を記憶する。さらに、入力された時差設定量を秒針４２３の移動で示す。【選択図】 図１
2006153655.tif 000002
【特許請求の範囲】
【請求項１】
基準時刻をクロックパルスに基づいて計時する計時手段と、
文字板とこの文字板上を回動する指針とを有し時刻を表示する時刻表示手段と、
前記基準時刻に対する時差設定量を外部入力する外部入力手段と、
前記外部入力手段にて入力される時差設定量を記憶する時差設定量記憶部と、
前記時差設定量記憶部に記憶された時差設定量を前記計時手段で計時される前記基準時刻に加算した時差時刻を前記時刻表示手段に表示させる時刻表示制御手段と、
前記外部入力手段にて時差設定量が入力される際に前記指針を所定の基準位置から前記時差設定量に応じた位置に移動させる時差設定量表示指令部と、を備え、
前記外部入力手段は、１回の操作で予め決められた所定時差量を入力する時差入力操作手段を有し、
前記時差設定量記憶部は、前記時差入力操作手段の操作回数に応じた時差設定量を記憶する
ことを特徴とする計時装置。
【請求項２】
請求項１に記載の計時装置において、
前記時差入力操作手段として、一回の操作によって正の時差を入力する正時差入力用の操作手段と、一回の操作によって負の時差を入力する負時差入力用の操作手段と、を備えている
ことを特徴とする計時装置。
【請求項３】
請求項１または請求項２に記載の計時装置において、
前記時刻表示手段は、前記指針として時針、分針および秒針を有し、
前記時差設定量表示指令部は、前記外部入力手段にて時差設定量が入力される際に前記秒針を所定の基準位置から前記時差設定量に応じた位置に移動させ、
前記基準位置は、０秒位置であり、
前記時差設定量に応じた位置は、時差設定量の１時間分を１秒に換算して前記０秒位置から前記時差設定量だけ運針した位置である
ことを特徴とする計時装置。
【請求項４】
請求項１から請求項３のいずれかに記載の計時装置において、
予め定められた所定範囲である有効時差範囲が設定された有効時差範囲設定部を備え、
前記時差設定量記憶部は、前記外部入力手段にて入力される時差設定量のうち前記有効時差範囲内の時差を有効として記憶する
ことを特徴とする計時装置。
【請求項５】
請求項４に記載の計時装置において、
複数の地域についての有効時差範囲を記録した有効時差範囲テーブルを有し、
前記計時手段は、設定された本地域の標準時を前記基準時刻として計時し、
前記有効時差範囲テーブルに記録された複数の地域から前記本地域を選択可能であることを特徴とする計時装置。
【請求項６】
請求項５に記載の計時装置において、
時刻情報を含む電波を受信する受信手段を備え、
前記有効時差範囲設定部は、前記有効時差範囲テーブルに記録された複数の地域から前記受信手段で受信した電波に基づいて前記本地域を選択する
ことを特徴とする計時装置。
【請求項７】
予め設定された基準時刻をクロックパルスに基づいて計時する計時工程と、
指針を回動させて時刻を表示する時刻表示工程と、
前記基準時刻に対する時差設定量を外部入力する外部入力工程と、
前記外部入力工程にて入力される時差設定量を記憶する時差設定量記憶工程と、
前記時差設定量記憶工程で記憶した時差設定量を前記計時工程で計時する前記基準時刻に加算した時差時刻を前記時刻表示工程にて表示させる時刻表示制御工程と、
前記外部入力工程にて時差設定量が入力される際に前記指針を所定の基準位置から前記時差設定量に応じた位置に移動させる時差設定量表示指令工程と、を備え、
前記外部入力工程は、１回の操作で予め決められた所定時差量を入力する時差入力操作工程を有し、
前記時差設定量記憶工程は、前記時差入力操作工程の操作回数に応じた時差設定量を記憶する
ことを特徴とする計時装置の制御方法。
【発明の詳細な説明】
【技術分野】
【０００１】
本発明は、計時装置および計時装置の制御方法に関する。特に、時差設定機能を有する計時装置および計時装置の制御方法に関する。
【背景技術】
【０００２】
従来、時差設定機能付きの時計が知られており、例えば、第１国とこの第１国に対して時差を有する第２国とを往来する場合などに用いられている（例えば、特許文献１）。
例えば、特許文献１に開示される時差設定機能付き時計では、文字板９１０および指針９２０を有するアナログ式（指針式）の時刻表示手段９００と、クロックパルスに基づいて世界標準時（ＧＭＴ）を計時する計時手段と、世界標準時に対する主要都市の時差を記憶した時差記憶部と、を備える時差設定機能付き時計が開示されている（図６参照）。
【０００３】
文字板９１０において、外縁寄りには世界の主要都市を表記した都市表記部９１１がリング状に設けられ、中心の小円には時間の目盛り９１２が刻まれている。
指針９２０としては時針９２１、分針９２２および秒針９２３が設けられており、秒針９２３は、秒時間を示す他、ユーザーの外部操作に応じて都市表記部９１１に表記された都市を任意に指定可能である。
そして、ユーザーが都市表記部９１１の都市を秒針で指定すると、この指定した都市に対応した時差が時差記憶部から読み出され、時刻表示手段９００には世界標準時に対して時差を加算した時刻が表示される。すると、指定した都市の時刻が時刻表示手段９００に表示されることになる。
【０００４】
例えば、時差記憶部には香港（HONG KONG）について世界標準時を基準として＋８時間の時差が記憶されており、秒針９２３で香港を指定すると、世界標準時に対して８時間加算した時刻が時刻表示手段９００に表示される。
【０００５】
【特許文献１】特開昭６２−６６１８７号公報
【発明の開示】
【発明が解決しようとする課題】
【０００６】
現在、世界中の国々において、夏期間の日光を有効利用することを目的とし、時刻を所定時間（例えば１または２時間）進めるサマータイム（夏時間、Daylight Saving Time）制度が導入されている。そして、例えば、ヨーロッパの主要国では、３月から１０月がサマータイムモードである。
【０００７】
このようにサマータイムが世界中で導入されるようになった結果、特許文献１に開示されるように都市ごとに時差を記憶させておく場合には、各都市の標準時に対する時差を設定することになるので、指定された都市がサマータイムモードである期間にはずれた時刻を表示することになってしまうという問題が生じる。
そして、サマータイムモード（３月〜１０月）の方がウィンタータイム（標準時刻）モード（１１月〜２月）よりも期間が長いのであるから、むしろずれた時刻を表示することの方が多くなってしまい、時刻を正確に表示するという時計本来の目的を果たすことできないという問題がある。
また、そもそも都市表記部９１１に表記されていない都市の時差については設定できないという問題がある。
【０００８】
本発明の目的は、時差時刻を正確に表示できる計時装置および計時装置の制御方法を提供することにある。
【課題を解決するための手段】
【０００９】
本発明の計時装置は、基準時刻をクロックパルスに基づいて計時する計時手段と、文字板とこの文字板上を回動する指針とを有し時刻を表示する時刻表示手段と、前記基準時刻に対する時差設定量を外部入力する外部入力手段と、前記外部入力手段にて入力される時差設定量を記憶する時差設定量記憶部と、前記時差設定量記憶部に記憶された時差設定量を前記計時手段で計時される前記基準時刻に加算した時差時刻を前記時刻表示手段に表示させる時刻表示制御手段と、前記外部入力手段にて時差設定量が入力される際に前記指針を所定の基準位置から前記時差設定量に応じた位置に移動させる時差設定量表示指令部と、を備え、前記外部入力手段は、１回の操作で予め決められた所定時差量を入力する時差入力操作手段を有し、前記時差設定量記憶部は前記時差入力操作手段の操作回数に応じた時差設定量を記憶することを特徴とする。
【００１０】
このような構成によれば、時差入力操作手段の操作回数によって時差の設定量をユーザーが任意に決めることができる。
例えばサマータイム制度が世界中で導入されているために地域間の時差は一定ではなく期間によって変わりうるので、単純に都市名と時差とを対応させて記憶した時差時刻を表示するだけでは期間によっては間違った時差時刻の表示を行ってしまうことになるが、この点、本発明では、ユーザーが時差入力操作手段を操作する回数によって任意の時差量を設定入力できるので、ユーザーの判断によって適切に正確な時差設定量を入力して正確な時差時刻の表示をさせることができる。
【００１１】
また、外部入力手段で時差設定量が入力される際に時差設定量表示指令部によって指針が移動され、この指針の移動量によって入力された時差設定量が表示される。すると、入力した時差設定量を確認しながらユーザーが時差設定量を調整することができ、ユーザーが自分で時差入力操作手段の操作回数をカウントする必要はなく、また、操作ミスによって間違った時差を入力した場合でも時差設定量の表示を確認して修正することができる。
さらに、従来は、文字板の周囲に設けられた都市表記部の都市名を指定させて時差の設定を行うこととしていたので時刻の表示部が小さくならざるをえなかったが、この点、本発明では時刻表示に利用する指針と時刻の目盛りとで時差を表示し、都市名の表示など時刻表示にとって無駄な要素を必要としないので、時刻の表示部を最大限大きくとることができる。その結果、時刻視認性を向上させることができ、また、時刻表示にとって無駄な要素を必要としないので、デザイン性を向上させることができる。
【００１２】
なお、計時手段で計時する基準時刻としては、第１地域の標準時を基準に第１地域と第２地域との時差を設定して第２地域の時差時刻を表示させたい場合、第１地域の標準時が計時手段で計時する基準時刻となる。一般的にはこの計時装置を使用するユーザーが主として居住する地域の標準時を基準時刻として設定するのが利便性の点から良いと考えられる。そして、基準時刻としてどの地域の標準時とするかは製品の出荷時に初期設定されてもよく、あるいはユーザーが任意に選択可能であってもよい。
【００１３】
ここで、「前記時差入力操作手段の操作回数に応じた時差設定量」における「操作回数」とは、時差入力操作手段を押すなどの実際の操作回数の他、例えば、ボタンを押し続けた場合に長押し時間に応じた操作回数をカウントすることも含む概念である。
【００１４】
本発明では、前記時差入力操作手段として、一回の操作によって正の時差を入力する正時差入力用の操作手段と、一回の操作によって負の時差を入力する負時差入力用の操作手段と、を備えていることが好ましい。
この構成では、正の時差を設定入力するときは正時差入力用の操作手段で入力でき、負の時差を設定入力するときは負時差入力用の操作手段で入力できるので、設定したい時差を直接に最も少ない操作回数で入力できる。
【００１５】
なお、時差入力操作手段として一つの操作手段のみが設けられ、カウント値が所定の範囲でループするカウンタを備えていてもよい。この構成では、操作手段の操作によってカウンタのカウント値が正の時差と負の時差とでループするので、所定の操作回数で任意の時差を入力でき、また操作手段を少なくできるので、デザイン性が向上するとともに操作が簡単である。
【００１６】
また、一回の操作で入力される所定時差量としては、１時間単位でもよく、または３０分単位であってもよい。
【００１７】
本発明では、前記時刻表示手段は、前記指針として時針、分針および秒針を有し、前記時差設定量表示指令部は、前記外部入力手段にて時差設定量が入力される際に前記秒針を所定の基準位置から前記時差設定量に応じた位置に移動させ、前記基準位置は、０秒位置であり、前記時差設定量に応じた位置は、時差設定量の１時間分を１秒に換算して前記０秒位置から前記時差設定量だけ運針した位置であることが好ましい。
【００１８】
このような構成によれば、秒針の移動量によって入力された時差設定量を表示することができる。そして、秒針によって時差設定量を表示させる場合、一般の指針式時計では時分針を駆動させるモータとは別に秒針駆動用モータを備えるので、時差設定量の表示の際に秒針だけを独立して所定位置に駆動させる際に利便性が高い。
【００１９】
本発明では、予め定められた所定範囲である有効時差範囲が設定された有効時差範囲設定部を備え、前記時差設定量記憶部は、前記外部入力手段にて入力される時差設定量のうち前記有効時差範囲内の時差を有効として記憶することが好ましい。
【００２０】
このような構成によれば、入力された時差設定量が有効時差範囲内であれば時差設定量記憶部に時差設定量が記憶されるとともに基準時刻に時差設定量が加算されて時差時刻が表示される。その一方、ユーザーが誤った外部入力手段の操作を行って有効時差範囲外の時差が入力された場合には、有効時差範囲外の時差設定入力を無効として受け付けないこととする。
【００２１】
例えばユーザーが誤った外部入力手段の操作を行って地球上に存在しえない時差を入力してしまった場合に、地球上に存在しえない時刻を表示することは計時装置として無意味である。この点、本発明では、入力された時差設定量が有効時差範囲内であるかを判断して、有効時差範囲内である場合にのみ時差時刻の表示を行うこととするので、ユーザーが誤った操作で過大な時差を入力してしまった場合でも無意味な時差時刻の表示を行うこともなく、また、過剰に時分針の早送り運針を行うといった無駄も回避できる。
また、例えば、入力された時差設定量を指針（例えば秒針）で示す場合にも無意味な時差設定量を表示する位置まで指針（秒針）を運針させる無駄を回避することができる。
【００２２】
ここで、本発明では、前記有効時差範囲は、前記基準時刻を標準時とする地域から東回りおよび西回りに日付変更線までの時差範囲とすることが好ましい。このように有効時差範囲を設定すると、有効時差範囲内の時差設定量であれば時差時刻は地球上に存在しうる時刻となる。
また、前記有効時差範囲は、期間に応じて調整されることが好ましい。ここで、期間に応じた調整とは、例えば、サマータイムを考慮して前記有効時差範囲の最大値および最小値を所定時間（例えば１時間または２時間）調整することをいう。このような構成によれば、サマータイム等によって変更される時差にも対応して時差時刻の表示を行うことができる。
なお、期間に応じて有効時差範囲を調整するにあたって、計時手段で日付（カレンダ情報）を計時する場合には、この日付に基づいて判断してもよい。
【００２３】
本発明では、複数の地域についての有効時差範囲を記録した有効時差範囲テーブルを有し、前記計時手段は、設定された本地域の標準時を前記基準時刻として計時し、前記有効時差範囲テーブルに記録された複数の地域から前記本地域を選択可能であることが好ましい。
【００２４】
このような構成において、前記有効時差範囲テーブルに記録された複数の地域から前記本地域を選択されると、計時手段は、この本地域の標準時を基準時刻として計時し、また、有効時差範囲設定部は、この本地域についての有効時差範囲を読み出して有効時差範囲として設定する。よって、計時装置が使用される地域に応じて適切な基準時刻が計時され、また、適切な有効時差範囲内で時差設定を行うことができる。
【００２５】
本発明では、時刻情報を含む電波を受信する受信手段を備え、前記有効時差範囲設定部は、前記有効時差範囲テーブルに記録された複数の地域から前記受信手段で受信した電波に基づいて前記本地域を選択することが好ましい。
【００２６】
このような構成によれば、各国において発信されている時刻情報を含む電波を受信して、その電波の種類等に基づいて本地域の選択を自動的に行うので、ユーザーが逐次選択しなくても、本地域の選択が行われ、利便性が向上される。
【００２７】
本発明の計時装置の制御方法は、予め設定された基準時刻をクロックパルスに基づいて計時する計時工程と、指針を回動させて時刻を表示する時刻表示工程と、前記基準時刻に対する時差設定量を外部入力する外部入力工程と、前記外部入力工程にて入力される時差設定量を記憶する時差設定量記憶工程と、前記時差設定量記憶工程で記憶した時差設定量を前記計時工程で計時する前記基準時刻に加算した時差時刻を前記時刻表示工程にて表示させる時刻表示制御工程と、前記外部入力工程にて時差設定量が入力される際に前記指針を所定の基準位置から前記時差設定量に応じた位置に移動させる時差設定量表示指令工程と、を備え、前記外部入力工程は、１回の操作で予め決められた所定時差量を入力する時差入力操作工程を有し、前記時差設定量記憶工程は、前記時差入力操作工程の操作回数に応じた時差設定量を記憶することを特徴とする。
【００２８】
このような構成によれば、上記発明と同様の作用効果を奏することができる。すなわち、時差入力操作工程の操作回数によって任意の時差量を設定入力でき、ユーザーの判断によって適切に正確な時差設定量を入力して正確な時差時刻の表示をさせることができる。
【発明の効果】
【００２９】
本発明によれば、ユーザーが時差入力操作手段を操作する回数によって任意の時差量を設定入力できるので、ユーザーの判断によって適切に正確な時差設定量を入力して正確な時差時刻の表示をさせることができる。
【発明を実施するための最良の形態】
【００３０】
以下、本発明の実施の形態を図示するとともに図中の各要素に付した符号を参照して説明する。
（第１実施形態）
図１に、本発明の計時装置にかかる第１実施形態としての電波修正時計１００を示す。
この電波修正時計１００は、基準パルス生成手段２１０からの基準クロックに基づいて現時刻（基準時刻）をカウントする時刻カウンタ（計時手段）２００と、時刻情報を含む標準電波を受信する受信手段３００と、指針４２０等によって時刻を表示する時刻表示手段４００と、指針４２０等を駆動させる駆動回路部５００と、指針４２０等の位置を記憶する針位置カウンタ６００と、現時刻に対する時差設定量を外部入力する外部入力手段７００と、時刻表示動作、時差設定動作および標準電波の受信動作を制御する中央制御部８００と、を備えて構成されている。
【００３１】
基準パルス生成手段２１０は、水晶振動子を発振させて基準振動を得る発振回路２１１と、発振回路２１１からの基準振動を分周してクロックパルスおよび早送りパルス等を生成する分周回路２１２と、を備える。
時刻カウンタ２００は、分周回路２１２からのクロックパルスに基づいて現時刻（基準時刻）をカウントする。
具体的には、時刻カウンタ２００は、時間のうち秒情報をカウントする秒カウンタ（不図示）と、時分情報をカウントする時分カウンタ（不図示）と、日情報をカウントする日カウンタ（不図示）と、を備えている。
【００３２】
受信手段３００は、電波を受けるアンテナ３１０と、アンテナ３１０で受けた電波の信号を処理する受信回路３２０と、受信回路３２０からの情報を処理する受信情報処理部３３０と、を備えて構成されている。
受信回路３２０は、図示しない増幅回路、バンドパスフィルタ、復調回路、ＡＧＣ（Automatic Gain Control）回路、デコード回路、を備える。
受信回路３２０で受信されて信号処理された時刻情報は受信情報処理部３３０に出力される。
【００３３】
受信情報処理部３３０は、受信した標準電波の種類を特定してこの標準電波の発信地域を認識するとともにその標準電波のタイムコードフォーマットに従って時刻情報を読み出す。また、受信情報処理部３３０は、受信した時刻情報を一旦記憶するとともに、連続して受信した時刻情報が所定時間差（１分差）になっているか否かで受信の成否を判断して、受信に成功している場合には時刻カウンタ２００の現時刻情報を受信した時刻情報に基づいて修正する。
なお、受信回路３２０は、予め設定されたスケジュール（自動受信時刻）もしくは外部入力手段７００による強制受信操作によって時刻情報の受信を開始する。
【００３４】
時刻表示手段４００は、文字板４１０と、この文字板４１０上を回動する指針４２０と、文字板４１０の下面側で回動する日車４２４と、を備えている。
文字板４１０は、時計の外装ケース４１１の開口部４１２から視認可能である。平面視において、外装ケース４１１のフェース面いっぱいに開口形成された開口部４１２から文字板４１０が外部に臨んでいる。
文字板４１０の最外周には時刻目盛り４１３が刻設されている。また、文字板４１０には日付視認窓４１４が開口形成されており、日車４２４に刻設された日付が日付視認窓４１４から視認可能である。
指針４２０としては、時針４２１、分針４２２および秒針４２３が設けられている。
【００３５】
駆動回路部５００は、秒針４２３を駆動させる秒針駆動回路５１０および秒針駆動モータ５１１と、時分針４２１、４２２を駆動させる時分針駆動回路５２０および時分針駆動モータ５２１と、日車４２４を駆動させる日車駆動回路５３０および日車駆動モータ５３１と、を備えている。
駆動回路部５００は、中央制御部８００から出力される制御信号に応じた駆動パルスを各駆動回路５１０、５２０、５３０から各駆動モータ５１１、５２１、５３１へ出力して各指針４２１、４２２、４２３および日車４２４を駆動する。
【００３６】
針位置カウンタ６００は、秒針４２３の位置をカウントして記憶する秒針位置カウンタ６１０と、時分針４２１、４２２の位置をカウントして記憶する時分針位置カウンタ６２０と、日車４２４の回転量をカウントして記憶する日車カウンタ６３０と、を備える。
中央制御部８００から駆動回路部５００に向けて各指針および日車４２４を駆動する制御信号が出力されるところ、この制御信号が針位置カウンタ６００にも同時に出力される。そして、針位置カウンタ６００は、この制御信号に基づいて各カウンタ６１０、６２０、６３０をカウントアップして各指針４２１、４２２、４２３の位置および日車４２４の回転量を記憶する。
【００３７】
初期設定において針位置カウンタ６００のカウント値を指針４２０および日車４２４の位置に一致させておいて、以後、中央制御部８００からの制御信号が駆動回路部５００に出力されるたびに針位置カウンタ６００がカウントアップすることにより、指針４２０および日車４２４の位置と針位置カウンタ６００のカウント値の一致が図られる。
【００３８】
外部入力手段７００は、外装ケース４１１の側面に設けられた３つの操作部材により構成されている。
操作部材としては、外装ケース４１１の側面において３時位置に対応する位置に設けられた押し引き可能なリューズ７１０と、２時位置に対応する位置に設けられた押動操作可能なＡボタン７２０と、４時位置に対応する位置に設けられた押動操作可能なＢボタン７３０と、が設けられている。
リューズ７１０は、押し引き可能であり、例えば、時刻修正モードへの移行および時刻修正モードの解除などの操作に使用される。
なお、Ａボタン７２０およびＢボタン７３０（時差入力操作手段）は、時差設定入力に使用され、通常の時刻表示が行われている状態でＢボタン７３０が一回押されると時差設定モードへの移行処理がなされ、時差設定モードの状態においてＡボタン（正時差入力用の操作手段）７２０の押動操作でプラス１時間（所定時差量）の時差入力、Ｂボタン（負時差入力用の操作手段）７３０の押動操作でマイナス１時間（所定時差量）の時差入力が行われるなどの入力操作が行われるが、Ａボタン７２０、Ｂボタン７３０の押動操作とこの操作に対応する動作処理については、図３、図４のフローチャートおよび図５の具体的動作例を参照して説明する。
【００３９】
中央制御部８００は、時刻表示手段４００の時刻表示動作を制御する時刻表示制御部８１０と、時差設定動作を制御する時差設定制御部８２０と、受信手段３００の受信動作を制御する受信タイミング制御部８３０と、を備えている。
【００４０】
時刻表示制御部８１０は、時刻カウンタ２００でカウントされる現時刻を時刻表示手段４００に表示させ、また、外部入力手段７００によって時差設定が行われた場合には、時刻カウンタ２００でカウントされる現時刻に時差設定量を加算した時差時刻を時刻表示手段４００に表示させる。
時刻表示制御部８１０は時刻表示手段４００の指針４２０等を駆動して時刻を表示させるところ、時刻表示制御部８１０からは、指針４２０を回転駆動させる制御信号が駆動回路部５００に出力されると同時に同じ制御信号が針位置カウンタ６００に出力される。
【００４１】
時差設定制御部８２０は、時差設定入力を受け付ける時差設定モードにおける動作処理を行う時差設定モード処理部８２１と、外部入力手段７００によって設定入力される時差量を記憶する時差設定量記憶部８２２と、有効時差範囲が設定された有効時差範囲設定部８２３と、複数の地域についての有効時差範囲を記録した有効時差範囲テーブル８２４と、を備える。
【００４２】
時差設定モード処理部８２１は、外部入力手段７００による時差設定開始の指令を受けると、時刻表示制御部８１０による時刻表示動作を停止させて時差設定入力を受け付ける時差設定モードへの移行処理を行う。
時差設定モードに移行した状態において、時差設定モード処理部８２１は、外部入力手段７００による時差設定入力に応じて秒針４２３を駆動させる制御信号を駆動回路部５００および針位置カウンタ６００に出力して秒針４２３の駆動制御を行い時差設定量の表示を制御する。ここに、時差設定モード処理部８２１によって、時差設定量を秒針４２３の駆動にて表示させる時差設定量表示指令部が構成されている。
なお、時差設定モードにおいて時差設定量に応じた秒針４２３の駆動については、図３、図４のフローチャートおよび図５の具体的動作例を参照して後述する。
また、時差設定モード処理部８２１は、時差設定モードに移行した状態において、入力された時差設定量のぶんだけ時針４２１および分針４２２を早送りする制御信号を駆動回路部５００および針位置カウンタ６００に出力することで、現時刻から時差時刻へ時刻表示を変更させる。
【００４３】
時差設定量記憶部８２２は、外部入力手段７００によって設定入力される時差設定量を記憶して、記憶した時差設定量を時差設定モード処理部８２１および時刻表示制御部８１０に出力する。なお、時差設定量記憶部８２２は、時差の設定が１時間単位で行われることに対応して１時間単位のカウンタで構成されている。
【００４４】
有効時差範囲設定部８２３には所定範囲の有効時差範囲が設定されており、有効時差範囲設定部８２３は、外部入力手段７００によって入力された時差設定量が有効時差範囲であるかどうかを判断して、有効時差範囲であれば入力された時差設定量を時差設定量記憶部８２２に記憶させ、有効時差範囲外であれば、外部入力手段７００による時差設定入力を無効として受け付けない。
【００４５】
有効時差範囲は、時刻カウンタ２００で計時する現時刻を標準時とする地域（本地域）から東回りおよび西回りで日付変更線までの時差にサマータイム分の調整量である所定時間（例えば１時間）を考慮した時差で仕切られる範囲である。
【００４６】
例えば、イギリス（サマータイムが導入されている）を本地域とすると、西回りで日付変更線まで行くと−１１時間までの時差があり、東回りで日付変更線までいくと＋１２時間まであるので、サマータイムの調整量を考慮すると東側および西側の地域に対して１時間ずれる可能性があるので、有効時差範囲は、−１２時間〜＋１３時間の範囲となる。
また、日本国（サマータイムが導入されていない）を本地域とすると、西回りで日付変更線まで行くと−２０時間までの時差があり、東回りで日付変更線までいくと＋３時間まであるので、サマータイムの調整量を考慮すると東側の地域では１時間時計が進む可能性があるので、現在有効であると考えられる有効時差範囲は、−２０時間〜＋４時間の範囲となる。
【００４７】
有効時差範囲テーブル８２４は、図２に示されるように、各地域に対する有効時差範囲を記録している。
そして、受信手段３００で受信された標準電波の種類が受信情報処理部３３０によって特定されるところ、有効時差範囲設定部８２３は、標準電波の種類からこの電波修正時計が現在用いられている本地域を特定して有効時差範囲テーブル８２４から本地域およびこの本地域に対応した有効時差範囲を読み出して記憶する。
なお、有効時差範囲テーブル８２４に記録された地域から本地域を選択するにあたっては、ユーザーが外部入力手段７００による手動操作で任意に選択可能であってもよい。
【００４８】
受信タイミング制御部８３０は、受信手段３００で標準電波の受信を開始する自動受信開始時刻を記憶しており、時刻が自動受信開始時刻に到達したところで、受信回路３２０を起動させて標準電波の受信を開始させる。自動受信時刻としては、毎日午前２時と午前５時に設定されることが例として挙げられる。また、受信タイミング制御部８３０は、外部入力手段７００によって入力される強制受信開始の指令に応じて受信回路３２０による標準電波の受信を開始させる。
【００４９】
このような構成を備える電波修正時計の動作について、図３、図４のフローチャートおよび図５の具体的動作例を参照して説明する。
図３、図４は、時差設定動作を主とする電波修正時計１００の動作を示すフローチャートである。図５は、電波修正時計１００の具体的動作例であって、（Ａ）は通常の時刻表示を行っている状態、（Ｂ）は時差設定モードに移行した状態、（Ｃ）は時差設定モードにおいて時差設定量が入力された状態、（Ｄ）は時差時刻を表示している状態、を示す。
【００５０】
まず、ＳＴ１００において、通常の時刻表示制御が時刻表示制御部８１０によって行われ、時刻表示手段４００に時刻が表示される（図５（Ａ）参照）。
ここで、時差設定がされていない場合、時刻表示制御部８１０は、針位置カウンタ６００のカウント値を時刻カウンタ２００とのカウント値に一致させるように制御信号を針位置カウンタ６００と駆動回路部５００に出力して時刻カウンタ２００でカウントされる現時刻を時刻表示手段４００に表示させる。一方、時差設定がされており、時差設定量記憶部８２２に時差設定量が記憶されている場合、時刻表示制御部８１０は、時刻カウンタ２００でカウントされる現時刻に時差設定量を加算した時差時刻を時刻表示手段４００に表示させる。
【００５１】
このように時刻表示が行われている状態で（ＳＴ１００）、自動受信時刻に到達するか（ＳＴ１０１：ＹＥＳ）あるいは強制受信操作が行われた場合（ＳＴ１０２：ＹＥＳ）、受信タイミング制御部８３０によって受信回路３２０が起動されて、標準電波の受信動作が行われる。そして、受信した標準電波の種類が受信情報処理部３３０にて特定され、この特定された標準電波の種類に対応した地域が有効時差範囲テーブル８２４に記憶された地域から本地域として選択される。
すると、有効時差範囲設定部８２３は、選択された本地域に対応した有効時差範囲を読み出して設定する（ＳＴ１０４）。例えば、日本が本地域として選択されれば、有効時差範囲は−２１時間〜＋４時間に設定される。
【００５２】
ＳＴ１０５において、外部入力手段７００による操作、つまりＢボタン７３０の一回押しによって時差設定開始の指令が行われた場合（ＳＴ１０５：ＹＥＳ）、時差設定モード処理部８２１は、時差設定の入力を受け付ける時差設定モードへの移行処理を行う（ＳＴ１０６）。すなわち、時刻表示制御部８１０による時刻表示を停止させて、さらに、秒針４２３を時差設定量の表示手段として機能させる。
このとき、時差設定モード処理部８２１は、時差設定量記憶部８２２にすでに記憶された時差を読み出して、時差設定量を表示する位置へ秒針４２３を移動させる（ＳＴ１０７）。
【００５３】
ここで、時差設定量を表示する位置は、時差設定量の１時間を１秒に換算して０秒位置から時差設定量だけ運針した位置であり、プラスの時差であれば秒針４２３を０秒位置から時計回りに時差設定量分だけ運針した位置であり、マイナスの時差であれば秒針４２３を０秒位置から反時計回りに時差設定量分だけ運針した位置である。例えば、＋２時間の時差が設定されていれば、秒針４２３は２秒位置に運針され、−２時間の時差が設定されていれば、５８秒の位置へ運針される。
【００５４】
なお、図５（Ｂ）に時差設定モードに移行した状態を示すところ、時差設定量が０である場合を例にして示しているので、秒針４２３は０秒位置に帰零されている。もし、仮に、時差設定量記憶部に２時間の時差が設定されていれば、秒針４２３は２秒の位置に運針される。
【００５５】
このように時差設定モードに移行した状態で、外部入力手段７００の操作、つまりＡボタン７２０あるいはＢボタン７３０の押動操作で時差入力が行われたか否かを検出する（ＳＴ１０８）。
時差入力操作を検出した場合（ＳＴ１０８：ＹＥＳ）、この時差入力が有効時差範囲であるかを有効時差範囲設定部８２３により判断する（ＳＴ１０９）。
Ａボタン７２０が一回押されるたびに＋１時間の時差が設定入力され、Ｂボタン７３０が一回押されるたびに−１時間の時差が設定入力されるので、有効時差範囲設定部８２３は、Ａボタン７２０およびＢボタン７３０が押された回数をカウントして、合計の時差設定量が有効時差範囲であるか否かを判断する。
例えば、日本が本地域として選択されている場合、有効時差範囲は、−２１時間から＋４時間であるので、この範囲内の時差設定入力であれば有効と判断する。
【００５６】
入力された時差設定量が有効時差範囲である場合（ＳＴ１０９；ＹＥＳ）、入力された時差設定量を時差設定量記憶部８２２に記憶する（ＳＴ１１０）。
そして、時差設定モード処理部８２１は、時差設定量を表示する位置へ秒針４２３を移動させる（ＳＴ１１１）とともに、入力された時差のぶんだけ時針４２１および分針４２２を正転方向または逆転方向に早送り運針する（ＳＴ１１２）。ここで、図５（Ｃ）では、入力された時差設定量が−９時間であって、秒針４２３が０秒位置から−９秒分運針されて５１秒を示す場合を表している。
【００５７】
時針４２１および分針４２２の早送りが終了した後（ＳＴ１１３：ＹＥＳ）、さらに、時差設定量によっては日付まで変更する必要がある場合には日車４２４が必要量だけ送られる（ＳＴ１１４）。
例えば、図５（Ａ）の通常時刻表示において午前８時１０分が表示されており、図５（Ｃ）に示されるように−９時間の時差が設定入力された場合、時差時刻は前日の午後１１時１０分となるので、図５（Ｄ）に示されるように、日車４２４が１日分逆回転される。
【００５８】
時分針４２１、４２２の早送りあるいは日車送りが終了したのち（ＳＴ１１３、ＳＴ１１４）、外部入力手段７００による時差設定入力が行われないままに５秒間が経過した場合（ＳＴ１１５：ＹＥＳ）には、時差設定モード処理部８２１は、時差設定モードを解除する（ＳＴ１１６）。すると、時刻表示制御部８１０により、時刻カウンタ２００でカウントされる現時刻に時差設定量を加算した時差時刻が時刻表示手段４００に表示されて（図５（Ｄ）参照）、以後、クロックパルスに基づく通常の運針によって時刻表示が行われる（ＳＴ１００）。
【００５９】
ここで、ＳＴ１０８において、時差設定モードに移行したのち時差入力操作が検出されないで（ＳＴ１０８：ＮＯ）５秒間経過した場合には時差設定モード処理部８２１は、時差設定モードを解除する（ＳＴ１１６）。
ＳＴ１０９において、外部入力手段７００のＡボタン７２０あるいはＢボタン７３０の押動操作によって入力された時差設定量が有効時差範囲を超えていた場合（ＳＴ１０９：ＮＯ）、有効時差範囲を超える時差設定入力を無効とし（ＳＴ３００）、無効の時差入力を時差設定量記憶部８２２に記憶することもなければ、無効の時差設定入力を時差時刻の表示に反映することもない。
【００６０】
ＳＴ１１３において時分針４２１、４２２の早送りを終了する前に（ＳＴ１１３：ＮＯ）外部入力手段７００によるさらなる時差設定入力があった場合（ＳＴ１０８：ＹＥＳ）、または、ＳＴ１１５において時分針４２１、４２２の早送りが終了後（ＳＴ１１３）５秒が経過する前に外部入力手段７００によるさらなる時差設定入力があった場合（ＳＴ１０８：ＹＥＳ）、その時差設定入力が有効時差範囲であるか判断し（ＳＴ１０９）、以後、有効時差範囲であれば、時差設定量記憶部８２２に時差設定量を記憶して（ＳＴ１１０）、秒針４２３による時差設定量の表示（ＳＴ１１１）、時分針４２１、４２２の早送り動作（ＳＴ１１２）が行われることになる。
【００６１】
このような構成を備える第１実施形態によれば、次の効果を奏することができる。
（１）Ａボタン７２０およびＢボタン７３０の押動操作回数によって時差の設定量をユーザーが任意に決めることができるので、ユーザーの判断によって適切に正確な時差設定量を入力して正確な時差時刻の表示をさせることができる。例えばサマータイム制度が世界中で導入されているために地域間の時差は一定ではなく期間によって変わりうるが、このような時差の変化も考慮に入れてユーザーが時差を任意に設定できるので、正確な時差時刻を表示することができる。
【００６２】
（２）入力された時差設定量を秒針４２３の移動量によって表示することができるので、入力した時差設定量を確認しながらユーザーが時差設定量を調整することができる。よって、ユーザーが自分で時差入力操作手段の操作回数をカウントする必要はなく、また、操作ミスによって間違った時差を入力した場合でも時差設定量の表示を確認して修正することができるなど利便性を向上させることができる。
【００６３】
（３）時刻表示に利用する秒針４２３と秒の目盛り４１３で時差を表示し、都市名の表示などの時刻表示にとって無駄な要素を必要としないので、時刻の表示部を最大限大きくとることができる。その結果、時刻視認性を向上させることができ、また、時刻表示にとって無駄な要素を必要としないので、デザイン性を向上させることができる。
【００６４】
（４）有効時差範囲設定部８２３に有効時差範囲が設定されており、この有効時差範囲は、時刻カウンタ２００で計時する基準時刻を標準時とする地域から東回りおよび西回りに日付変更線までの時差範囲とするので、有効時差範囲内の時差設定量であれば時差時刻は地球上に存在しうる有意味な時刻とすることができる。
【００６５】
（５）有効時差範囲の設定にあたっては、サマータイムを考慮して有効時差範囲の最大値および最小値を１時間調整して設定しているので、サマータイム等によって変更される時差にも対応して時差時刻の入力および表示を行うことができる。
【００６６】
（６）有効時差範囲が設定されており、入力された時差設定量が有効時差範囲内であるかを判断して、有効時差範囲内である場合に時差時刻の表示を行うこととするので、ユーザーが誤った操作で過大な時差を入力してしまった場合でも地球上に存在しない無意味な時差時刻の表示を行うこともなく、また、過剰に時分針４２１、４２２の早送り運針を行うといった無駄も回避できる。
【００６７】
（７）時刻情報を含む電波を受信するとともに電波の種類を特定して、この特定した標準電波の種類に対応した地域を有効時差範囲テーブル８２４に記憶された地域から本地域として選択するので、計時装置が使用される地域に応じた適切な基準時刻を時刻カウンタ２００で計時でき、また、適切な有効時差範囲内で時差設定を行うことができる。そして、各国において発信されている時刻情報を含む電波を受信して、その電波の種類等に基づいて本地域の選択を自動的に行うので、ユーザーが逐次選択しなくても、本地域の選択が行われ、利便性が向上する。
【００６８】
（８）本実施形態は電波修正時計であるところ、標準電波に基づく時刻表示の修正にあたっては指針４２０の位置を認識しておく必要があり、その一方、時差設定において秒針４２３で時差設定量を示したりまた通常の時刻表示に復帰したりするにあたっては秒針４２３の位置を認識している必要がある。
このように標準電波の受信機能と時差設定量の秒針４２３による表示とはともに針位置カウンタ６００を備える必要があるところ、電波修正時計に対して時差設定量を秒針４２３で表示する機能を付加したり、逆に、時差設定量を秒針４２３で表示する電子時計に電波受信機能を付加したりする場合には、針位置カウンタ６００を共用できるのでその他のわずかな設計変更で済ませることができる。
【００６９】
なお、本発明は前述の実施形態に限定されず、本発明の目的を達成できる範囲での変形、改良等は本発明に含まれる。
有効時差範囲テーブルに記憶する有効時差の範囲としては図２に示される有効時差範囲に限られず適切な有効時差を設定すればよいことはもちろんである。例えば、有効時差範囲の調整時間を１時間ではなく２時間としてもよく、または、サマータイム制度が導入されていない地域を考慮して調整時間を設けなくてもよい。
また、現在、日本国ではサマータイムが導入されていないので、現在有効であると考えられる有効時差範囲は、−２０時間〜＋４時間の範囲となるが、将来的に日本にサマータイムが導入される可能性を考えて、有効時差範囲を−２１時間〜＋４時間としてもよい。
【００７０】
時差設定としては、１時間単位で行うとしたが、例えば、３０分単位で設定可能であってもよいことはもちろんである。
【００７１】
上記実施形態では、時差設定量記憶部８２２に時差設定量が記憶されていれば時刻表示手段４００は常に時差時刻を表示する場合を例にして説明したが、時差設定量記憶部８２２に時差設定量が記憶されている場合であっても、時刻カウンタ２００でカウントされる現時刻（基準時刻）を表示する基準時刻表示モードと時差時刻を表示する時差時刻表示モードを任意に切り替えることが可能に構成されていてもよい。
【００７２】
時差設定モードに移行した際に、秒針４２３は、時差設定量記憶部８２２に記憶されている時差設定量の位置に移動するとして説明したが、通常の時刻表示から時差設定モードに移行した際には時差設定量記憶部８２２に記憶されている時差設定量がリセットされ、秒針４２３は常に帰零されてもよい。
【００７３】
時差設定モードにおいて時差が入力された際に秒針４２３の運針で入力された時差設定量を表示する場合を例にして説明したが、時差設定量を表示する場合に駆動される指針としては秒針４２３に限らず、時針４２１あるいは分針４２２であってもよく、さらには、日車４２４に日付表示の他にマイナスの数字も印刷しておいてこの日車を利用して時差設定量を表示してもよい。
【００７４】
上記実施形態としては、標準電波を受信する受信手段を備えた電波修正時計を例にして説明したが、電波の受信機能を有していない電子時計であってもよいことはもちろんである。電波を受信しない電子時計である場合、有効時差範囲テーブルに記録された地域から本地域を選択するにあたっては、ユーザーが手動操作で任意に選択可能であってもよい。
【００７５】
標準電波の受信によって標準電波の種類に対応した地域を特定し、有効時差範囲テーブルから本地域を選択するとともに有効時差範囲設定部に有効時差範囲を設定するとしたが、さらに、受信した時刻情報に基づいて時刻カウンタの現時刻（基準時刻）を修正した場合には、時差時刻の表示を解除して標準電波に基づいて修正された時刻を時刻表示手段４００に表示するとしてもよい。
【００７６】
例えば、ＣＰＵ（中央処理装置）、メモリ（記憶装置）等を備えたコンピュータに制御プログラムを組み込んで中央制御部８００の各制御部としての機能を実現させてもよく、このようにコンピュータを例えば有効時差範囲設定部８２３や有効時差範囲テーブル８２４として機能させれば、各種の設定変更等を容易に行うことができる。なお、この制御プログラムは、インターネット等の通信手段や、ＣＤ−ＲＯＭ、メモリカード等の記録媒体を介してインストールされてもよい。
【産業上の利用可能性】
【００７７】
本発明は、時計等の計時装置に利用できる。
【図面の簡単な説明】
【００７８】
【図１】本発明の計時装置に係る第１実施形態として、電波修正時計の全体構成を示す図。
【図２】前記第１実施形態において、有効時差範囲テーブルを示す図。
【図３】前記第１実施形態において、電波修正時計の動作を示すフローチャート。
【図４】前記第１実施形態において、電波修正時計の動作を示すフローチャート。
【図５】前記第１実施形態において、電波修正修正時計の具体的動作例を示す図。
【図６】従来の時差設定機能付き時計の時刻表示部を示す図。
【符号の説明】
【００７９】
１００…電波修正時計、２００…時刻カウンタ（計時手段）、２１０…基準パルス生成手段、２１１…発振回路、２１２…分周回路、３００…受信手段、３１０…アンテナ、３２０…受信回路、３３０…受信情報処理部、４００…時刻表示手段、４１０…文字板、４１１…外装ケース、４１２…開口部、４１３…時刻目盛り、４１４…日付視認窓、４２０…指針、４２１…時針、４２２…分針、４２３…秒針、４２４…日車、５００…駆動回路部、５１０…秒針駆動回路、５１１…秒針駆動モータ、５２０…時分針駆動回路、５２１…時分針駆動モータ、５３０…日車駆動回路、５３１…日車駆動モータ、６００…針位置カウンタ、６１０…秒針位置カウンタ、６２０…時分針位置カウンタ、６３０…日車カウンタ、７００…外部入力手段、７１０…リューズ、７２０…Ａボタン、７３０…Ｂボタン、８００…中央制御部、８１０…時刻表示制御部、８２０…時差設定制御部、８２１…時差設定モード処理部、８２２…時差設定量記憶部、８２３…有効時差範囲設定部、８２４…有効時差範囲テーブル、８３０…受信タイミング制御部、９００…時刻表示手段、９１０…文字板、９１１…都市表記部、９２０…指針、９２１…時針、９２２…分針、９２３…秒針。
【図１】
2006153655.tif 000003
【図２】
2006153655.tif 000004
【図３】
2006153655.tif 000005
【図４】
2006153655.tif 000006
【図５】
2006153655.tif 000007
【図６】
2006153655.tif 000008